(57)【要約】【課題】燃焼用空気の供給手段として２つのファンを利用し、かつ複数のバーナに部分燃焼駆動を行なわせる場合に、その燃焼駆動状態を適切な状態にすることが可能な燃焼装置を提供する。【解決手段】燃焼装置Ｃ１は、複数のバーナ２における部分燃焼可能領域ａ〜ｅどうしの境界部分の直下において、空気供給室３２を第１および第２の空気供給室３２ａ，３２ｂに仕切る仕切り部材６を備えており、第１のファン４ａから吐出される燃焼用空気は、第１の空気供給室３２ａを経由してその上方の第１領域Ａ１のバーナ２に供給され、かつ第２のファン４ｂから吐出される燃焼用空気は、第２の空気供給室３２ｂを経由してその上方の第２領域Ａ２のバーナ２に供給されるように構成されている。【選択図】  図１
2015083908.tif 000002
【特許請求の範囲】
【請求項１】
１つのバーナケース内に収容されて略水平方向に並べられた複数のバーナと、
前記バーナケース内にその下部側から燃焼用空気を供給するための第１および第２のファンと、
これら第１および第２のファンから燃焼用空気の供給を受ける空気供給室を前記複数のバーナの下側に区画形成し、かつ前記空気供給室に供給された燃焼用空気が前記バーナケース内をそのまま上昇することを抑制しつつ前記複数のバーナ内に導入されるように前記燃焼用空気をガイドする整流板と、
を備えており、
前記複数のバーナは、これら複数のバーナへの燃料供給のオン・オフを個別に切り替え可能な複数の部分燃焼可能領域に区分されている、燃焼装置であって、
前記複数のバーナにおける部分燃焼可能領域どうしの境界部分の直下において、前記空気供給室を第１および第２の空気供給室に仕切る仕切り部材を、さらに備えており、
前記第１のファンから吐出される燃焼用空気は、前記第１の空気供給室を経由してその上方の第１領域のバーナに供給され、かつ前記第２のファンから吐出される燃焼用空気は、前記第２の空気供給室を経由してその上方の第２領域のバーナに供給されるように構成されていることを特徴とする、燃焼装置。
【請求項２】
請求項１に記載の燃焼装置であって、
前記仕切り部材は、前記第１領域のバーナと前記第２領域のバーナとが同数となるように設けられており、
前記第１および第２のファン、ならびにこれらの駆動用モータとしては、構造およびサイズが実質的に同一のものが用いられている、燃焼装置。
【請求項３】
請求項２に記載の燃焼装置であって、
前記第１領域のバーナは、前記第２領域のバーナよりも部分燃焼可能領域の区分け数が多くされており、
前記複数のバーナに部分燃焼を生じさせるときには、前記第１領域のバーナが前記第２領域のバーナよりも優先的に利用され、前記第１領域のバーナの全てが燃焼駆動状態にない場合には前記第２領域のバーナは燃焼駆動されないように構成されている、燃焼装置。
【請求項４】
請求項１ないし３のいずれかに記載の燃焼装置であって、
前記第１領域のバーナが燃焼駆動し、かつ前記第２領域のバーナが燃焼駆動していないときには、前記第２のファンは、前記第１のファンよりも少ない空気吐出量で前記第２の空気供給室への燃焼用空気供給を行なうように構成されている、燃焼装置。
【請求項５】
請求項４に記載の燃焼装置であって、
前記第１領域のバーナが燃焼駆動し、かつ前記第２領域のバーナが燃焼駆動していない状態において、前記第１領域のバーナから前記第２領域のバーナに火移りを行なわせる間は、前記第１のファンの空気吐出量、および前記第１領域のバーナへの燃料供給圧は変化させることなく、前記第２のファンの空気吐出量を前記第１のファンの空気吐出量よりも低くしたままそれ迄の空気吐出量よりも増加させるように構成されている、燃焼装置。
【請求項６】
請求項１ないし５のいずれかに記載の燃焼装置であって、
前記複数のバーナの燃焼駆動開始を行なうための点火時においては、前記第１および第２のファンからの空気吐出量を不均一とするように構成されている、燃焼装置。
【請求項７】
請求項１ないし６のいずれかに記載の燃焼装置であって、
前記仕切り部材は、前記第１領域のバーナと前記第２領域のバーナとの間を仕切るよう
に前記整流板よりも高い位置まで延設されており、かつこの仕切り部材の上端は、前記複数のバーナの上面部の炎孔部よりも低い高さに設定されている、燃焼装置。
【請求項８】
燃焼装置と、
この燃焼装置によって発生された燃焼ガスから熱回収を行なって湯水加熱を行なうための熱交換器と、
を備えている、温水装置であって、
前記燃焼装置として、請求項１ないし７のいずれかに記載の燃焼装置が用いられていることを特徴とする、温水装置。
【発明の詳細な説明】
【技術分野】
【０００１】
本発明は、たとえば瞬間式給湯装置などの温水装置の構成要素として用いるのに好適な燃焼装置、およびこれを備えた温水装置に関する。
【背景技術】
【０００２】
燃焼装置の一例として、特許文献1に記載のものがある。
同文献に記載の燃焼装置は、１つのバーナケース内に複数のバーナを並べて収容し、かつバーナケース内には、その下部からファンを利用して燃焼用空気を供給させるようにしている。複数のバーナの下側には、整流板が設けられており、ファンから吐出された燃焼用空気は、整流板によるガイド作用により各バーナ内に導入されて燃料ガスと混合され、この混合ガスが燃焼する。一方、複数のバーナは、燃料ガス供給のオン・オフ切り替えを個別に行なうことが可能な複数の部分燃焼可能領域に区分されており、これら複数の部分燃焼可能領域のいずれか１つを単独で燃焼駆動させ、あるいは複数の部分燃焼可能領域を組み合わせて燃焼駆動させることによって、燃焼火力を調整することが可能とされている。
【０００３】
前記したような燃焼装置を、たとえばレストラン用などの大型の給湯装置の構成要素として用いる場合には、バーナの数を多くすることに加え、バーナケース内への燃焼用空気供給量も多くする必要がある。このような場合、ファンとして、ただ単純に大型のものを用いたのでは、そのコストがかなり高価となる。また、ファンが大きく嵩張るために、温水装置全体の大型化を招く不利もある。
【０００４】
このような不利を回避する手段としては、たとえば２つのファンを用いることが考えられる（たとえば、特許文献２を参照）。このような手段によれば、各ファンとして、小型のものを用いることができるために、大型のファンを１つ用いる場合と比較して、トータルのコストを低減し、また装置全体の小型化を図ることも可能となる。
【０００５】
しかしながら、２つのファンを用いただけでは、バーナの燃焼駆動状態、とくにバーナに部分燃焼駆動を生じさせる場合に、部分燃焼に適した燃焼用空気の供給が行なわれず、不具合を生じる場合がある。具体例を挙げると、バーナに部分燃焼駆動を行なわせている際に、非燃焼部分への燃焼用空気の供給量が過多であると、この燃焼用空気が燃焼装置の上側に設置されている熱交換器を冷却することとなり、熱交換器の熱交換効率が低下する虞を招く。これとは反対に、非燃焼部分への燃焼用空気の供給量が過少であると、燃焼空間内の炉圧により燃焼ガスが非燃焼部分のバーナ内に逆流する虞がある。その他、バーナの燃焼駆動開始時に振動燃焼を生じる虞などもある。
【先行技術文献】
【特許文献】
【０００６】
【特許文献１】特開２００３−２６２３３３号公報
【特許文献２】特開平８−７５１２７号公報
【発明の概要】
【発明が解決しようとする課題】
【０００７】
本発明は、前記したような事情のもとで考え出されたものであり、燃焼用空気の供給手段として２つのファンを利用し、かつ複数のバーナに部分燃焼駆動を行なわせる場合に、その燃焼駆動状態を適切な状態にすることが可能な燃焼装置、およびこれを備えた温水装置を提供することを、その課題としている。
【課題を解決するための手段】
【０００８】
上記の課題を解決するため、本発明では、次の技術的手段を講じている。
【０００９】
本発明の第１の側面により提供される燃焼装置は、１つのバーナケース内に収容されて略水平方向に並べられた複数のバーナと、前記バーナケース内にその下部側から燃焼用空気を供給するための第１および第２のファンと、これら第１および第２のファンから燃焼用空気の供給を受ける空気供給室を前記複数のバーナの下側に区画形成し、かつ前記空気供給室に供給された燃焼用空気が前記バーナケース内をそのまま上昇することを抑制しつつ前記複数のバーナ内に導入されるように前記燃焼用空気をガイドする整流板と、を備えており、前記複数のバーナは、これら複数のバーナへの燃料供給のオン・オフを個別に切り替え可能な複数の部分燃焼可能領域に区分されている、燃焼装置であって、前記複数のバーナにおける部分燃焼可能領域どうしの境界部分の直下において、前記空気供給室を第１および第２の空気供給室に仕切る仕切り部材を、さらに備えており、前記第１のファンから吐出される燃焼用空気は、前記第１の空気供給室を経由してその上方の第１領域のバーナに供給され、かつ前記第２のファンから吐出される燃焼用空気は、前記第２の空気供給室を経由してその上方の第２領域のバーナに供給されるように構成されていることを特徴としている。
【００１０】
このような構成によれば、次のような効果が得られる。
まず、第１領域のバーナには、第１のファンから燃焼用空気が供給される一方、第２領域のバーナには、第２のファンから燃焼用空気が供給される。このため、たとえば第１領域のバーナのみが燃焼駆動し、かつ第２領域のバーナが非燃焼駆動状態とされるような場合であっても、第１領域のバーナと第２領域のバーナとのそれぞれの状態に適切に対応した燃焼用空気供給を個別に行なうことが可能となる。その結果、たとえば第１領域のバーナを燃焼駆動させている際に、非燃焼部分である第２領域への燃焼用空気の供給量を抑えることができ、第２領域に供給された多くの燃焼用空気が燃焼装置の上側に設置されている熱交換器を冷却するといった不具合を抑制することが可能となる。また、非燃焼部分への燃焼用空気の供給量が過少になることを解消し、燃焼空間内の炉圧によって燃焼ガスが非燃焼部分のバーナ内に逆流するといった不具合も防止することが可能となる。さらに、バーナの燃焼駆動開始時（点火時）に、第１領域および第２領域への燃焼用空気供給量に差を付けて火炎のバランスを崩すことにより、振動燃焼を防止するといったことも可能となる。
本発明においては、仕切り部材が、複数のバーナの部分燃焼可能領域どうしの境界部分に対応した位置に設けられているため、バーナの部分燃焼可能領域としては、第１領域および第２領域の双方に跨がったものは存在しないこととなる。その結果、バーナを部分燃焼駆動させる場合に、この燃焼領域が第１領域および第２領域の双方に跨がった状態となることを抑制し、第１領域および第２領域のそれぞれに対して適切な燃焼用空気供給を、より的確に行なうことが可能となる。
【００１１】
本発明において、好ましくは、前記仕切り部材は、前記第１領域のバーナと前記第２領域のバーナとが同数となるように設けられており、前記第１および第２のファン、ならびにこれらの駆動用モータとしては、構造およびサイズが実質的に同一のものが用いられている。
【００１２】
このような構成によれば、第１および第２のファン、ならびにこれらの駆動用モータとして、構造やサイズが相違するものを用いる場合と比較すると、部品の統一化により、製造コストを低減するのに好ましいものとなる。第１および第２のファンの制御方式も同一でよいため、ファン制御も容易となる。
【００１３】
本発明において、好ましくは、前記第１領域のバーナは、前記第２領域のバーナよりも部分燃焼可能領域の区分け数が多くされており、前記複数のバーナに部分燃焼を生じさせるときには、前記第１領域のバーナが前記第２領域のバーナよりも優先的に利用され、前記第１領域のバーナの全てが燃焼駆動状態にない場合には前記第２領域のバーナは燃焼駆動されないように構成されている。
【００１４】
このような構成によれば、バーナの部分燃焼駆動が行なわれる領域を増大させていくことによってバーナ火力を徐々に強めていく場合や、これとは反対にバーナ火力を徐々に弱めていく場合に、第１領域のバーナが燃焼駆動領域として維持される。第１領域および第２領域が、バーナの燃焼駆動状態または非燃焼駆動状態に交互に切り替えられるようなことが頻繁に生じないようにすることが可能である。このため、第１および第２のファンから第１領域や第２領域に供給される燃焼用空気の量を、急激かつ頻繁に変化させる必要をなくし、または少なくすることができる。これは、第１および第２のファンの制御の容易化に寄与する他、バーナの燃焼駆動状態を安定させる上でも好ましい。
【００１５】
本発明において、好ましくは、前記第１領域のバーナが燃焼駆動し、かつ前記第２領域のバーナが燃焼駆動していないときには、前記第２のファンは、前記第１のファンよりも少ない空気吐出量で前記第２の空気供給室への燃焼用空気供給を行なうように構成されている。具体的には、空気吐出量の調整は、ファンの回転速度を変更することにより行なわれる。
【００１６】
このような構成によれば、第１領域への空気供給量が、第２領域への空気供給量と比較して過多となることを防止し、第１領域のバーナの燃焼火炎が第２領域側に偏って不安定化することを、的確に防止する上でより好ましい。
【００１７】
本発明において、好ましくは、前記第１領域のバーナが燃焼駆動し、かつ前記第２領域のバーナが燃焼駆動していない状態において、前記第１領域のバーナから前記第２領域のバーナに火移りを行なわせる間は、前記第１のファンの空気吐出量、および前記第１領域のバーナへの燃料供給圧は変化させることなく、前記第２のファンの空気吐出量を前記第１のファンの空気吐出量よりも低くしたままそれ迄の空気吐出量よりも増加させるように構成されている。
【００１８】
このような構成によれば、第１領域のバーナから第２領域のバーナへの火移りを行なわせる際に、第１領域のバーナへの燃料供給圧を一時的に減少させて燃焼火力を一旦弱めるといった動作（従来一般的には、火移しの際に燃料供給圧を一時的に下げる動作が行なわれている）が不要とされる。したがって、第２領域への火移りを円滑、かつ迅速に行なわせて、定常の燃焼状態までの戻り時間を短くすることができる。
【００１９】
本発明において、好ましくは、前記複数のバーナの燃焼駆動開始を行なうための点火時においては、前記第１および第２のファンからの空気吐出量を不均一とするように構成されている。
【００２０】
このような構成によれば、バーナの点火時において発生する火炎のバランスを第１領域側と第２領域側とで意図的に崩すことが可能となる。この作用により、バーナの燃焼駆動初期に振動燃焼が生じることを抑制する効果が得られる。
【００２１】
本発明において、好ましくは、前記仕切り部材は、前記第１領域のバーナと前記第２領域のバーナとの間を仕切るように前記整流板よりも高い位置まで延設されており、かつこの仕切り部材の上端は、前記複数のバーナの上面部の炎孔部よりも低い高さに設定されている。
【００２２】
このような構成によれば、第１領域のバーナと第２領域のバーナとの間が仕切り部材によって一部仕切られるために、第１領域および第２領域の一方に供給された燃焼用空気が他方に進行し難くなり、燃焼動作を安定させる上で好ましい。一方、仕切り部材の上端がバーナの上面部の炎孔部よりも低い高さとされていれば、仕切り部材が火炎に晒されないようにし、仕切り部材の熱損傷を防止することができる。
【００２３】
本発明の第２の側面により提供される温水装置は、燃焼装置と、この燃焼装置によって発生された燃焼ガスから熱回収を行なって湯水加熱を行なうための熱交換器と、を備えている、温水装置であって、前記燃焼装置として、本発明の第１の側面により提供される燃焼装置が用いられていることを特徴としている。
【００２４】
このような構成によれば、本発明の第１の側面により提供される燃焼装置について述べたのと同様な効果が得られる。
【００２５】
本発明のその他の特徴および利点は、添付図面を参照して以下に行なう発明の実施の形態の説明から、より明らかになるであろう。
【図面の簡単な説明】
【００２６】
【図１】本発明に係る燃焼装置を備えた温水装置の一例を示す要部断面図である。
【図２】図１のII−II断面図である。
【図３】本発明との対比例を示す要部断面図である。
【図４】図１に示す燃焼装置における動作処理の一例を示すフローチャートである。
【図５】図１に示す燃焼装置における動作処理の他の例を示すフローチャートである。
【図６】図１に示す燃焼装置における燃焼火力の切り替えの仕方の一例を示す説明図である。
【図７】（ａ）は、本発明の他の例を示す要部断面図であり、（ｂ）は、（ａ）に示す燃焼装置における燃焼火力の切り替えの仕方の一例を示す説明図である。
【図８】（ａ）は、本発明の他の例を示す要部断面図であり、（ｂ）は、（ａ）に示す燃焼装置における燃焼火力の切り替えの仕方の一例を示す説明図である。
【発明を実施するための形態】
【００２７】
以下、本発明の好ましい実施の形態について、図面を参照して具体的に説明する。
【００２８】
図１に示す温水装置ＷＨは、瞬間式ガス給湯装置であり、燃焼装置Ｃ１と、熱交換器１とを備えている。
【００２９】
燃焼装置Ｃ１は、複数のバーナ（燃焼管）２、これらを収容するバーナケース３、バーナケース３内に燃焼用空気を供給するための第１および第２のファン４ａ，４ｂ、整流板５、仕切り部材６、ならびに燃料ガス噴出用のヘッダ７（図２を参照）を具備している。
【００３０】
複数のバーナ２は、ガスバーナであり、バーナケース３の左右横幅方向に所定の配列ピッチで並べられている。各バーナ２としては、従来と同様なものを用いることが可能であり、その詳細は省略するが、全体が比較的偏平状であって、長手方向一端の下部には燃料ガス導入口２０を有し、かつ上面部には平面視細長矩形状の炎孔部２１を有している。燃料ガス導入口２０は、バーナケース３の前壁部からその外側を臨むように設けられており、この燃料ガス導入口２０には、第１および第２のファン４ａ，４ｂのいずれかから吐出された燃焼用空気の一部（１次空気）が供給される。燃料ガス噴出用のヘッダ７は、燃料ガス導入口２０に燃料ガスを噴出可能である。バーナ２内には、１次空気および燃料ガス
が混合して供給され、これが炎孔部２１において燃焼する。
【００３１】
複数のバーナ２は、部分燃焼可能領域ａ〜ｅに区分されている。これらの部分燃焼可能領域ａ〜ｅは、これらに対する燃料ガス噴出用のヘッダ７からの燃料ガス供給が個別にオン・オフ切り替え可能とされており、部分燃焼可能領域ａ〜ｅのそれぞれを独自に燃焼駆動させることが可能である。本実施形態においては、部分燃焼可能領域ａ〜ｅのそれぞれのバーナ２の数は、６、３、２、８、３とされている。
【００３２】
第１および第２のファン４ａ，４ｂは、バーナケース３の下部に取り付けられており、バーナケース３の下部の開口部３０を介して燃焼用空気をバーナケース３内へ上向きに供給可能である。第１および第２のファン４ａ，４ｂ、ならびにこれらの駆動用モータＭａ，Ｍｂは、構造およびサイズが実質的に同一のものとされている。
【００３３】
整流板５は、複数のバーナ２の下側に配されており、第１および第２のファン４ａ，４ｂから吐出された燃焼用空気がそのまま上昇することを抑制しつつ、その大部分を前記した１次空気として各バーナ２の燃料ガス導入口２０に導く。また、整流板５には、複数の通気孔５０が設けられており、この通気孔５０を通過した燃焼用空気の一部は、各バーナ２の燃焼駆動用の２次空気として利用される。
【００３４】
仕切り部材６は、整流板５とバーナケース３の底板部３１との間に形成されている空気供給室３２を、バーナケース３の横幅方向において第１および第２の空気供給室３２ａ，３２ｂに仕切るためのものであり、たとえばメッキ鋼板やステンレス鋼板などの金属板である。第１および第２のファン４ａ，４ｂは、第１および第２の空気供給室３２ａ，３２ｂにそれぞれ個別に燃焼用空気を送り込むように設けられている。仕切り部材６は、空気供給室３２よりもさらに上側に延設されており、バーナ２どうしの隙間内の位置にも進入している。この仕切り部材６の上端高さは、バーナ２の炎孔部２１よりも若干低い高さである。このことにより、仕切り部材６がバーナ２の火炎に晒されることが防止され、熱損傷を生じ難くすることができる。これは、仕切り部材６として、耐熱性の低い、低コストの金属材料が選定できる利点をもたらせる。また、本実施形態とは異なり、仕切り部材６を炎孔部２１よりも高い高さまで延設した場合には、仕切り部材６を冷却するための２次空気を仕切り部材６に沿って多く流す必要が生じ、熱効率への悪影響が懸念される。これに対し、本実施形態によれば、そのようなことも解消される。
【００３５】
仕切り部材６は、複数のバーナ２の部分燃焼可能領域ｃ，ｄの相互間を仕切る位置に設けられている。このことにより、第１の空気供給室３２ａの上方の第１領域Ａ１に位置するバーナ２の数と、第２の空気供給室３２ｂの上方の第２領域Ａ２に位置するバーナ２の数とは、ともに１１であって同数である。第１および第２の空気供給室３２ａ，３２ｂの容積も略同一となっている。
【００３６】
第１および第２のファン４ａ，４ｂの駆動や、燃料ガス噴出用のヘッダ７からの燃料ガスの噴出のオン・オフ切り替え、バーナ２への点火動作、バーナ２の燃焼火力の変更などは、図示されていないコントローラによって制御されるように構成されている。この制御の具体的な内容については、後述する。
【００３７】
熱交換器１は、燃焼装置Ｃ１によって発生させた燃焼ガスから熱回収を行なって湯水加熱を行なうものであり、バーナケース３の上側に載設された缶体１０と、この缶体１０内に収容された多数のフィン１１付きの伝熱管１２とを備えている。伝熱管１２には、加熱対象の湯水を流入させるための入水口１３と、伝熱管１２内を通過して加熱された湯水を外部に流出させるための出湯口１４が設けられている。入水口１３は、バーナケース３の左右横幅方向のうち、第１領域Ａ１が位置する側（図１の左側）に設けられている。図示
説明は省略するが、湯水加熱用の熱交換器として、熱交換器１とは別に、潜熱回収用の熱交換器をさらに設けた構成とすることも可能である。
【００３８】
次に、前記した温水装置ＷＨの作用について説明する。
【００３９】
まず、第１領域Ａ１のバーナ２には、第１のファン４ａから燃焼用空気が供給され、第２領域Ａ２のバーナ２には、第２のファン４ｂから燃焼用空気が供給される。このため、たとえば図１に示すように、第１領域Ａ１のバーナ２のみが燃焼駆動し、かつ第２領域Ａ２のバーナ２が非燃焼駆動状態であるような場合には、第１領域Ａ１のバーナ２には第１のファン４ａから燃焼駆動に適合した量の燃焼用空気供給を行なわせつつ、第２領域Ａ２のバーナ２には、過剰な燃焼用空気供給が行なわれないようにすることができる。第２領域Ａ２のバーナ２への燃焼用空気供給量が多いと、第２領域Ａ２を通過した多くの燃焼用空気が熱交換器１を冷し、温水装置ＷＨの熱交換効率が悪くなるが、このような不具合を回避することが可能である。一方、第２領域Ａ２のバーナ２への燃焼用空気供給を完全に停止させてしまうと、燃焼空間内の炉圧により燃焼ガスが非燃焼部分である第２領域Ａ２のバーナ２内に逆流する虞があるが、本実施形態によれば、第２のファン４ｂを低速で回転させることによって、そのような虞も適切に防止することが可能である。
【００４０】
仕切り部材６は、複数のバーナ２における部分燃焼可能領域ｃ，ｄの境界部分に対応した位置に設けられており、バーナ２の部分燃焼可能領域ａ〜ｅとしては、第１領域Ａ１と第２領域Ａ２との双方に跨がって存在するものはない。
たとえば、図３の対比例のように、部分燃焼可能領域ｙが、第１領域Ａ１と第２領域Ａ２との双方に跨がっている場合には、この部分燃焼可能領域ｙを燃焼駆動させる際に、第１領域Ａ１および第２領域Ａ２のそれぞれにおいて、燃焼部分と非燃焼部分とが発生する。これでは、第１領域Ａ１および第２領域Ａ２の双方において無駄な燃焼用空気の量が多くなり、熱交換器１が冷却され易い。本実施形態によれば、そのようなことを適切に回避することが可能となる。
【００４１】
前記のような効果は、仕切り部材６を、部分燃焼可能領域ｃ，ｄの境界部分のみならず、これ以外の部分燃焼可能領域どうしの境界部分（たとえば、部分燃焼可能領域ｂ，ｃの境界部分など）に対応した位置に設けた場合においても得られる。本実施形態においては、仕切り部材６を部分燃焼可能領域ｃ，ｄの境界部分に対応した位置に設けたことにより、第１領域Ａ１および第２領域Ａ２のバーナ数が同一に揃えられている。このため、第１および第２のファン４ａ，４ｂ、ならびにその駆動用モータＭａ，Ｍｂとして、構造およびサイズが同一のものを好適に用いることができる。これらの機器の共通化を図れば、これらの低コスト化が図られ、さらには駆動用モータＭａ，Ｍｂの制御方式なども共通となるために、ファン制御の容易化も図ることができる。
【００４２】
次に、燃焼装置Ｃ１において行なわれる動作処理の具体例を説明する。
【００４３】
〔点火動作〕
バーナ２への点火時には、図４に示すような燃焼振動防止動作が実行される。
すなわち、バーナ２の点火がなされる場合には、第１および第２のファン４ａ，４ｂが駆動されるが、その際の両者のファン回転数を相違させ、第１および第２のファン４ａ，４ｂからの燃焼用空気の吐出量を不均一とする（Ｓ１：ＹＥＳ，Ｓ２）。点火プラグ（不図示）を利用した点火動作が完了すると、その後は第１および第２のファン４ａ，４ｂを、バーナ２の燃焼駆動に適合した所定の回転速度に制御する（Ｓ３，Ｓ４：ＹＥＳ，Ｓ５）。
【００４４】
前記した動作によれば、バーナ２への点火時に発生する火炎のバランスを、燃焼用空気
の吐出量の不均一さによって積極的に崩すことができる。このことにより、燃焼駆動初期に生じ易い燃焼振動を適切に抑制することが可能となる。
【００４５】
〔火移り〕
図１に示すように、第１領域Ａ１のバーナ２が燃焼駆動し、かつ第２領域Ａ２のバーナ２が非燃焼駆動状態にある場合に、第２領域Ａ２のバーナ２に火移りを生じさせる場合には、図５に示すような制御が行なわれる。
まず、図１に示した状態は、図５のステップＳ１０のＹＥＳ、Ｓ１１の状態にあり、第１のファン４ａは、バーナ２の燃焼駆動に対応した回転速度とされ、第２のファン４ｂはそれよりも低速回転である。この第２のファン４ｂが低速回転であるのは、前述したとおり、第１領域Ａ１から第２領域Ａ２に多くの燃焼用空気が回り込むことを防止するためである。
【００４６】
このような状態において、第２領域Ａ２のバーナ２への火移りを生じさせるには、第１のファン４ａの回転速度、および第１領域Ａ１のバーナ２への燃料ガスの供給圧を変更することなく、第２のファン４ｂの回転速度を、若干速める（Ｓ１２：ＹＥＳ，Ｓ１３）。第２のファン４ｂの回転速度は、第１のファン４ａの回転速度を超えない範囲である。前記ファン速度の変更に伴い、第２領域Ａ２のバーナ２に燃料ガス供給を開始する（Ｓ１４）。このような動作により火移りが完了すると、その後は第２のファン４ｂの回転速度をさらに速め、第２領域Ａ２のバーナ２の燃焼駆動に対応させる（Ｓ１５：ＹＥＳ，Ｓ１６）。火移り完了後における第１領域Ａ１に対する第１のファン４ａの空気吐出量については、少なくするなど、要求される燃焼能力に応じて変化させてもよい。
【００４７】
このような制御によれば、火移り動作を迅速に行なうことができる。従来一般の燃焼装置においては、火移りを行なわせる際に、燃焼駆動しているバーナへの燃料ガスの供給圧を一時的に下げる動作が行なわれているが、このような手段によれば、バーナを元の燃焼状態に復帰させるのにある程度の時間を要する。これに対し、本実施形態によれば、第１領域Ａ１のバーナ２の燃焼駆動状態に大きな変化を与えず、定常の燃焼状態への復帰が迅速に行なわれることとなる。これは、温水装置ＷＨからの出湯温度を安定させる上で大きな利点となる。
【００４８】
〔燃焼火力切り替え〕
複数のバーナ２の燃焼火力の切り替えは、たとえば図６に示すような態様でなされる。同図において、クロスハッチングが付された部分が、燃焼領域であり、クロスハッチングが付されていない部分は、非燃焼領域である（後述の図７（ｂ）、図８（ｂ）も同様）。
図６に示すように、燃焼装置Ｃ１においては、部分燃焼可能領域ａ〜ｅを組み合わせて燃焼領域とすることにより、燃料火力１〜６の６段階の燃焼火力調整が可能とされている。この燃焼火力調整時においては、第１領域Ａ１のバーナ２が優先的に利用され、第１領域Ａ１のバーナ２の全てが燃焼駆動状態にない場合には、第２領域Ａ２のバーナは燃焼駆動されず、第２領域Ａ２のバーナ２が燃焼駆動されるのは、燃焼火力５，６の場合のように、第１領域Ａ１のバーナ２の全てが燃焼駆動状態にある場合に限られている。
【００４９】
このような構成によれば、第１領域Ａ１のバーナ２を燃焼駆動状態とし、かつ第２領域Ａ２のバーナ２を非燃焼駆動状態とすることが極力維持され、バーナ２の駆動燃焼状態を安定させることができる。また、非燃焼領域に対して無駄に多くの燃焼用空気が供給されるといったことも極力回避することが可能である。
図７は、本実施形態との対比例である。ただし、同図に示す燃焼装置Ｃ２も、本発明の技術的範囲に包摂される。図７の燃焼装置Ｃ２においては、燃焼火力４を設定し、部分燃焼可能領域ｂ〜ｄを燃焼領域とした場合に、この燃焼領域が第１領域Ａ１と第２領域Ａ２との双方に跨がってしまい、燃焼領域の両側に非燃焼領域が発生する。これでは、非燃焼
領域に供給される燃焼用空気の量が多くなり、熱交換器１が冷却され易い。これに対し、本実施形態によれば、そのような虞はない。
【００５０】
さらに、本実施形態においては、前記したように、複数のバーナ２の部分燃焼時には第１領域Ａ１のバーナ２が優先的に利用されること、および熱交換器１の入水口１３が第１領域Ａ１寄りに位置する結果、熱交換器１において凝縮水が発生する領域を狭くすることができる効果も得られる。より具体的には、熱交換器１の入水口１３には、比較的低温の湯水が供給され、燃焼ガスがこの湯水によって冷やされると、燃焼ガス中の水蒸気が凝縮し、強酸性の凝縮水が熱交換器１の表面に発生する。この凝縮水は、熱交換器１の腐食原因となるとともに、熱交換器１の熱交換効率を低下させる。この凝縮水が発生する箇所は、熱交換器１に入水した湯水が、バーナ２によって発生された燃焼ガスに最初に出会う部分およびその近辺（たとえば、図１の符号ｎ１部分）に発生する。
【００５１】
本実施形態によれば、前記したような凝縮水が発生する箇所は、第１領域Ａ１の上方に限定される。したがって、熱交換器１の広範囲において凝縮水が発生することを適切に回避し、凝縮水の発生に起因する熱交換器１の腐食や熱交換効率の低下を抑制することができる。なお、このような利点は、図７に示した対比例においても得ることが可能である。
【００５２】
図８は、本発明の他の実施形態を示している。同図において、前記実施形態と同一または類似の要素には、前記実施形態と同一の符号を付している。
【００５３】
図８に示す燃焼装置Ｃ３においては、バーナ２の総数は、前記実施形態と同一であるが、部分燃焼可能領域ａ〜ｅのそれぞれを構成するバーナ２の数が、前記実施形態とは相違している。また、仕切り部材６は、第１領域Ａ１と第２領域Ａ２とのそれぞれのバーナ２の数を同数とするようには設けられておらず、第１領域Ａ１の方が第２領域Ａ２よりもバーナ２の数が少なくなるように設けられている。バーナ２の燃焼火力を複数段階で切り替える場合には、同図（ｂ）に示すような態様とされている。本実施形態では、やはり複数のバーナ２の部分燃焼時においては、第１領域Ａ１のバーナ２が優先的に利用され、第２領域Ａ２のバーナ２が燃焼駆動されるのは、燃焼火力５，６の場合であって、第１領域Ａ１のバーナ２の全てが燃焼駆動状態にある場合に限られている。したがって、図７を参照して述べたような不利をなくすことが可能である。また、本実施形態によれば、部分燃焼可能領域ａ，ｂの上方位置において熱交換器１に凝縮水が発生することとなり、凝縮水が発生する範囲を前記実施形態の場合よりも狭めることができる利点が得られる。
【００５４】
図８に示す実施形態では、第１および第２のファン４ａ，４ｂ、ならびにその駆動用モータＭａ，Ｍｂとして、同一の構造およびサイズのものが用いられている。ただし、このような構成に代えて、第１のファン４ａおよびモータＭａを、第２のファン４ｂおよびモータＭｂよりも小サイズ（または低定格能力）としてもよいことは勿論である。
【００５５】
本発明は、上述した実施形態の内容に限定されない。本発明に係る燃焼装置、および温水装置の各部の具体的な構成は、本発明の意図する範囲内において種々に設計変更自在である。
【００５６】
本発明でいう仕切り部材は、空気供給室を第１および第２の空気供給室に仕切る部材であればよく、整流板よりも上方に突出しない状態に設けることもできる。仕切り部材が設けられる位置は、部分燃焼可能領域どうしの境界部分（境界部分が複数ある場合、そのうちのいずれか１つの境界部分でよい）に対応する位置であればよく、第１および第２の空気供給室のサイズの差、ならびに第１領域のバーナ数と第２領域のバーナ数との差が比較的大きくなるように設けられていてもよい。第１および第２のファン、およびその駆動用モータの具体的な種類なども限定されない。ファンは、少なくとも２つ設けられていれば
よく、３以上のファンが設けられている場合であっても、２つのファン（第１および第２のファン）に関連する構成が本発明の意図する構成に該当するのであれば、本発明の技術的範囲に包摂される。
【００５７】
本発明に係る燃焼装置は、給湯装置などの温水装置の構成要素以外の用途（たとえば、暖房用や焼却用の燃焼装置など）に用いることも可能である。また、本発明に係る燃焼装置は、レストラン用などの大型のものとして構成するのに適するが、その具体的なサイズなどは限定されず、比較的小型の燃焼装置として構成することも可能である。本発明に係る温水装置において、熱交換器の具体的な構成はとくに限定されるものではなく、湯水加熱が可能な種々のタイプの熱交換器を用いることができる。
【符号の説明】
【００５８】
Ｃ１〜Ｃ３  燃焼装置
ＷＨ  温水装置
Ａ１  第１領域
Ａ２  第２領域
ａ〜ｅ  バーナの部分燃焼可能領域
１  熱交換器
２  バーナ
３  バーナケース
４ａ，４ｂ  第１および第２のファン
５  整流板
６  仕切り部材
３２（３２ａ，３２ｂ）  空気供給室（第１および第２の空気供給室）
【図１】
2015083908.tif 000003
【図２】
2015083908.tif 000004
【図３】
2015083908.tif 000005
【図４】
2015083908.tif 000006
【図５】
2015083908.tif 000007
【図６】
2015083908.tif 000008
【図７】
2015083908.tif 000009
【図８】
2015083908.tif 000010